(57)【要約】【課題】本発明は、規格階段を用いつつ、容易かつ安価な構成で階段室の有効幅員を必要な寸法だけ拡幅した階段構造を提供することを目的としている。さらに拡幅部下部の昇降に支障のない部分を階段にかわる構成とし、有効活用を図ることを目的とする。【解決手段】上記課題を解決するために、本発明に係る階段構造の代表的な構成は、モジュール単位で設計、施工される住宅の階段構造であって、規格階段の側面方向にモジュール単位の幅の領域を設定し、前記階段側面の間仕切り壁を、少なくとも段板側方は前記階段の側面に沿わせると共に、段板より上方では、前記領域の範囲内において、前記階段の側面より後退させたことを特徴とする。これにより、企画化された階段を用いて階段段板の幅員は変えることなく、上部空間のみを拡幅することができる。【選択図】    図１
2004285714.tif 000002
【特許請求の範囲】
【請求項１】
モジュール単位で設計、施工される住宅の階段構造であって、
規格階段の側面方向にモジュール単位の幅の領域を設定し、
前記階段側面の間仕切り壁を、
少なくとも段板側方は前記階段の側面に沿わせると共に、
段板より上方では、前記領域の範囲内において、前記階段の側面より後退させたことを特徴とする階段構造。
【請求項２】
前記領域は、階段室と他の室内空間との境界に設定することを特徴とする請求項１記載の階段構造。
【請求項３】
前記間仕切り壁は、前記他の室内空間に接する面を、前記領域内に後退させたことを特徴とする請求項２記載の階段構造。
【発明の詳細な説明】
【０００１】
【発明の属する技術分野】
本発明は住宅の設計手法に関し、特に階段部分の有効幅を容易に拡幅しうる階段構造に関するものである。なお規格階段とは所定の規格に沿ってユニットとして供給される階段であり、有効幅とは柱の幅や内装の厚みを差し引いた実際に通行または居住空間として利用できる幅である。
【０００２】
【従来の技術】
現在の工業化住宅（いわゆるプレハブ住宅）においては、モジュール単位で設計、施工が行われているのが一般である。モジュールは大別して尺モジュールとメーターモジュールがあり、具体的な数値はハウスメーカーごとに異なっている。しかし各ハウスメーカーに共通することとしては、採用するモジュールにあわせた壁材や階段などの部材を準備、供給しているということである。例えば、尺モジュール（例えば３０５ｍｍ基準）の工業化（プレハブ）住宅においては、モジュールにあわせて３尺幅（有効幅８００ｍｍ前後）の階段が規格化、標準制定され、部品として用意されている。
【０００３】
ところで近年居住者の高齢化が進行し、階段に手すりや階段昇降機を設置することが増えてきているが、上記の幅では窮屈、あるいは上り下りに支障をきたす、という問題がある。
【０００４】
その対策として、まずはモジュール単位で１段階大きな４尺幅（有効幅１０８０ｍｍ前後）の階段部材を用いることが考えられる。しかし４尺幅では広すぎて他の室内空間へのしわ寄せが大きく、全体のプランが成立しにくいことがある。特に狭小住宅の場合は顕著である。あるいは、逆に、４尺幅でも顧客の希望を満たせない場合もある。
【０００５】
すると次の対策は、特注対応で顧客のニーズに合わせて階段の幅を広げることになる。しかし階段の構造体は複雑な形状の部品の組み合わせで構成されており、これを特注対応した場合、特注部品の設計も手間がかかり、特注部品の品種、数量も膨大になる。また、階段の特注の場合、部材の強度上の問題がなくとも、振動という予期せぬ問題が発生しかねないため、細心の注意を払って設計、施工を行わなければならないという問題もある。これにより設計者の業務負担や、顧客の経済的な負担を増加させるという問題が生じる。特に現場での部材加工や寸法調整の困難な鉄骨住宅では、施工上の問題も生じる。
【０００６】
一方、実際に居住者が昇降時に踏みつける部分は主に階段の段板の中央付近に限られ、せっかく階段を拡幅しても実際には活用されないことが多い。同様に、階段昇降機を設置した場合でも、階段昇降機下部を階段状にする意味はない。従って、階段を特注などで拡幅することは、手間やコストがかかる割には、これによって生まれる効果は大きくないといえる。
【０００７】
従来からも、階段に接する間仕切り壁を薄くして手すりを配置し、階段の有効幅を縮小しないよう構成した階段構造も提案されている（特許文献１）。本従来技術においても規格階段の有効幅を広げているということもできるが、拡幅寸法は最大でも壁の厚み程度である。またその幅は固定化されており、顧客のニーズや用途に応じて自由に設定することはできない。
【０００８】
【特許文献１】
特開平８−２１８５８７号公報
【０００９】
【発明が解決しようとする課題】
そこで本発明は、規格階段を用いつつ、容易かつ安価な構成で階段室の有効幅員を必要な寸法だけ拡幅した階段構造を提供することを目的としている。さらに拡幅部下部の昇降に支障のない部分を階段にかわる構成とし、有効活用を図ることを目的とする。
【００１０】
【課題を解決するための手段】
上記課題を解決するために、本発明に係る階段構造の代表的な構成は、モジュール単位で設計、施工される住宅の階段構造であって、規格階段の側面方向にモジュール単位の幅の領域を設定し、前記階段側面の間仕切り壁を、少なくとも段板側方は前記階段の側面に沿わせると共に、段板より上方では、前記領域の範囲内において、前記階段の側面より後退させたことを特徴とする。これにより、規格化された階段を用いてこれに特別な手を加えることなく、上部空間のみを拡幅することができる。
【００１１】
また、前記領域は、階段と他の室内空間との境界に設定することを特徴とする。これにより階段と隣接する他の室内空間、たとえば廊下や居室等と階段との間に、前記領域の範囲内において任意に拡幅する割合を設定することができる。ただし外壁に対しても、階段をモジュール単位で屋内側にずらして設置することにより、外壁側の壁面も上部空間を拡幅することができる。
【００１２】
また前記階段は廻り階段または折り返し階段であって、前記領域は、隣り合う階段と階段の間に設定することを特徴とする。これにより、廻り階段や折り返し階段においても階段の上部空間のみを拡幅することができる。
【００１３】
【発明の実施の形態】
［第一実施形態］
本実施形態に係る階段構造の第一実施形態について説明する。本実施形態においてモジュールは尺モジュール（３０５ｍｍ基準）を用いて、数値を例示する。図１は階段構造の正面断面図、図２は階段構造の構成を説明する斜視図である。なお本実施形態において説明する寸法の数値は例であって、実際には設計に沿って個別に設定する。
【００１４】
図２に示す階段構造において、階段ユニット１は尺モジュールにそって設計、製造された３尺幅用の直階段であり、最も普及して安価に供給される規格である。階段ユニット１は複数の部品からなる組み立て式のユニットとして供給され、鉄骨住宅においては金属製の多数の部品によって構成されており、床４と梁５とに対して固着される。そして固着後、段板部３ａと蹴込部３ｂに、主として規格化された木質仕上げ材が貼着される。
【００１５】
階段ユニットの側面には、間仕切り壁２が配置される。間仕切り壁２は木下地、石こうボード、ビニールクロスなどの仕上げ材で構成されているため、配置や寸法の変更を比較的自由に、かつ安価に行うことができる。
【００１６】
図１（ａ）は本実施形態に係る階段構造の正面断面図であり、図１（ｂ）は比較のための従来の階段構造の正面断面図である。まず従来の構成について説明すると、図１（ｂ）に示すように、階段室はモジュール規格に沿って３尺幅（９１５ｍｍ）で設計されていた。このとき階段室の両側の柱の中心の間隔が３尺幅（３モジュール）であって、柱の幅や内装の厚みを考慮すれば、階段室の有効幅は８４１．５ｍｍ、廊下の有効幅は７９３ｍｍである。
【００１７】
これに対し本実施形態においては、図１（ａ）に示すように、階段ユニット１の側面の、室内空間である廊下６との境界に、１モジュール分（３０５ｍｍ）の領域Ａを設定し、この範囲内において間仕切り壁２を変形させる。すなわち階段室内から見て、間仕切り壁２の下部２１（段板近傍）は階段ユニット１の側面に沿わせ、段板から所定距離（例えば２１０ｃｍ）以上離隔した上部２２では、階段ユニット１の側面より後退させている。下部２１を階段ユニット１に沿わせているのは、３尺幅の階段ユニットに含まれる木質仕上げ材をそのまま利用するためである。
【００１８】
一方、間仕切り壁２の階段室とは反対側である、廊下６側の面の下部（以下、室内側下部２４という）も、同様に間仕切り壁２を後退させて構成している。ここで間仕切り壁２の幅のうち、上部２２を後退させる幅ｗ１は１／２モジュール分とし、階段自体（段板部分）は３尺幅（有効幅８４１．５ｍｍ）であるが、階段室の幅は、これをさらに拡幅され、有効幅９９４ｍｍとなる（約１７４．５ｍｍの拡幅）。室内側下部２４を後退させる幅ｗ２は残った１／２モジュールであり、有効幅９４５．５ｍｍとなる（約１５２．５ｍｍの拡幅）。なお、１／２モジュールずつの割合でなくとも、領域Ａの範囲内であれば、その分配の割合は任意に設定可能である。
【００１９】
上記構成により、最も普及して安価な規格階段を用いつつ、居住者が快適に通行可能な階段構造とすることができる。また、廊下などの、階段室と隣接する他の室内空間は、領域Ａを設定することによって住宅全体としてその容積を圧迫されるが、室内空間に対応する間仕切り壁２を領域Ａ内に後退させることにより、圧迫される容積を最小限に留めることができる。
【００２０】
すなわち、モジュール単位で設計、施工される住宅であっても、階段室の拡幅の幅は領域Ａの範囲内で任意に設定することができ、設計の自由度が増して、顧客満足度を高めることが可能となる。
【００２１】
なお、上記実施形態においては他の室内空間として廊下６を用いて説明したが、居室空間と階段室が隣接する場合であっても、全く同様にして本発明を適用し、その効果を得ることができる。
【００２２】
［第二実施形態］
上記第一実施形態において階段ユニット１は直階段であったが、他の形式の階段であっても、本発明を適用することができる。
【００２３】
図３は下曲がり階段１０に本発明を適用した例を示す図である。図に示すように、下曲がり階段１０においては階段室と隣接する室内空間が２面に存在する。そこで、それぞれの室内空間との境界に領域Ａを設定し、間仕切り壁２の上部２２を領域Ａ内に後退させている。これにより、曲がり部分においても階段室の有効幅を拡幅することができる。なお、図示しないが、上曲がり階段の上方においても同様に２面を後退させることができ、さらには上下とも曲がった階段では３面を後退させて階段室を拡幅することができる。
【００２４】
図４は廻り階段１１に本発明を適用した例を示す図である。図において廻り階段１１は両側に室内空間を有しており、それぞれに領域Ａを設定し、間仕切り壁２の上部２２を領域Ａ内に後退させている。これにより、廻り階段１１においても階段室の有効幅を拡幅することができる。なお、折り返し階段（踊り場を有する階段）においても、全く同様にして階段室を拡幅することができる。
【００２５】
図５は、階段室の外壁面側においても拡幅した例を示す図である。図５（ｂ）は比較のための従来の階段構造の正面断面図であって、外壁７に沿って階段室が設置される間取り構成を示している。ここで図５（ａ）に示すように、本実施形態に係る階段構造においては、領域Ａを廊下６（他の室内空間）との境界に設定し、階段ユニット１を１／２モジュールだけ屋内側にずらして設置する。そして廊下６側と外壁７側の両方の間仕切り壁の上部２２をそれぞれ後退させることにより、階段室の両側を拡幅している。上部２２を後退させる幅は、両側あわせて領域Ａの幅の範囲内である。なお、図においては領域Ａの全ての幅を使って階段室を拡幅しているが、上記第一実施形態と同様に室内側にも分配して室内側下部２４を後退させることでもよい。これにより、階段ユニット１の両側を視覚的にバランスよく拡幅することができ、また居住者が階段ですれ違う場合にも快適に通行することができる。
【００２６】
［第三実施形態］
上記各実施形態において間仕切り壁２は、階段ユニットに沿う下部２１と、領域Ａ内に後退した上部２２の間に、傾斜面２３を形成して説明した。しかし、単に下部２１と上部２２を連結する傾斜面を設けるのみならず、他の用途も考えられる。
【００２７】
図６は下曲がり階段１０の２面に、階段ユニットに沿う下部の代わりに収納棚３０を設けた例を示す図である。収納棚３０は２段構成となっており、下段が引き出し３０ａ、上段がオープン棚３０ｂとなっており、さらに上面は飾り棚３０ｃとして利用可能となっている。このように構成することにより、単に上部２２が後退することによって階段室の有効幅を広げるのみならず、さらに空間を有効に利用することが可能となる。
【００２８】
図７は廻り階段１１の折り返し部分に、ベンチ３１を設けた例を示す図である。このように構成することにより、高齢者等が一度に階段を上りきることが困難である場合に、ベンチ３１を一時的に休む場所として利用することができる。
【００２９】
図８（ａ）は、階段ユニットに沿ってスロープ３２を設けた例を示す図である。図に示す領域Ｂは２モジュール分（６１０ｍｍ）の幅を設定し、そのうち４００ｍｍ程度を用いてスロープ３２を構成し、残りの幅によって廊下６を拡幅している。このように構成することにより、階段室の有効幅を広げることが可能となることはもちろんのこと、高齢者等が災害時などに迅速に２階から降りるために利用することができる。なお平常時においてスロープ３２を踏んでしまう場合を考慮し、スロープ３２の仕上げ材にはある程度摩擦抵抗のある仕上げ材を用いたり、またはスロープ３２の階段側の縁に滑り止め部材を取り付けることが好ましい。
【００３０】
さらに図８（ｂ）は、階段ユニットに沿って設けたスロープ３２に、階段昇降機３３を設置した例を示す図である。階段昇降機３３は従来は段板に対して設置されていたが、階段状部分に設置する必要はなく、本実施形態のように階段幅を拡幅したスロープ３２に設置することもできる。このように構成したことにより、階段部分の通行幅を確保し、通常の階段の上り下りに支障をきたすことなく階段昇降機を設置することができる。
【００３１】
【発明の効果】
上記説明した如く、本発明に係る階段構造においては、規格階段の側面方向にモジュール単位の幅の領域を設定し、当該領域の範囲内で間仕切り壁を後退させたことにより、モジュール単位で設計、施工される住宅であっても、規格階段を用いつつ、階段室の有効幅員を必要な寸法だけ拡幅した階段構造を提供することができる。従って、階段について特注部品を要しないため、安価に階段室を拡幅することができる。
【００３２】
また、拡幅の幅はモジュール単位で設定した領域の幅の範囲内で任意に設定することができ、領域の残りの幅は間仕切り壁の反対側面を後退させることにより、階段室に隣接する他の室内空間をも拡幅することができる。このため、設計の自由度が向上し、顧客満足度を高めることが可能となる。
【図面の簡単な説明】
【図１】階段構造の正面断面図である。
【図２】階段構造の構成を説明する斜視図である。
【図３】下曲がり階段に本発明を適用した例を示す図である。
【図４】廻り階段に本発明を適用した例を示す図である。
【図５】階段室の外壁面側においても拡幅した例を示す図である。
【図６】下曲がり階段の２面に、階段ユニットに沿う下部の代わりに収納棚を設けた例を示す図である。
【図７】廻り階段の折り返し部分に、ベンチを設けた例を示す図である。
【図８】階段ユニットに沿ってスロープを設けた例を示す図である。
【符号の説明】
Ａ        …領域
１        …階段ユニット
２        …間仕切り壁
３        …木質仕上げ材
３ａ    …段板部
３ｂ    …蹴込部
４        …床
５        …梁
６        …廊下
７        …外壁
１０        …下曲がり階段
１１        …廻り階段
２１        …下部
２２        …上部
２３        …傾斜面
２４        …室内側下部
３０        …収納棚
３０ａ    …引き出し
３０ｂ    …オープン棚
３０ｃ    …飾り棚
３１        …ベンチ
３２        …スロープ
３３        …階段昇降機
【図１】
2004285714.tif 000003
【図２】
2004285714.tif 000004
【図３】
2004285714.tif 000005
【図４】
2004285714.tif 000006
【図５】
2004285714.tif 000007
【図６】
2004285714.tif 000008
【図７】
2004285714.tif 000009
【図８】
2004285714.tif 000010